【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
撮像手段により生成される映像信号が従う第１の映像信号方式または第２の映像信号方式を使用者の操作に応じて設定する映像信号方式設定手段と、
前記第１の映像信号方式に対応する記録フォーマット、または前記第２の映像信号方式に対応する記録フォーマットに従って記録媒体の初期化処理を行う初期化手段と、
前記初期化手段によって初期化された記録媒体の記録フォーマットに対応する映像信号方式が、前記映像信号方式設定手段によって設定された映像信号方式と一致するか否かを判定する映像信号方式判定手段と、
前記映像信号方式判定手段によって前記映像信号方式が一致していないと判定された場合に、前記記録媒体の記録フォーマットに対応する映像信号方式に設定を切り替えるように促す表示を表示部に行う切り替え督促手段とを備えることを特徴とする撮像装置。
【請求項２】
撮像手段から得られた撮像信号を用いて、第１の映像信号方式に従う第１の映像信号、または前記第１の映像信号方式とは異なる第２の映像信号方式に従う第２の映像信号を生成する映像信号生成手段と、
前記第１の映像信号を記録媒体に記録するための記録フォーマット、または前記第２の映像信号を前記記録媒体に記録するための記録フォーマットの何れか一方を使用者の操作に応じて選択する記録フォーマット選択手段と、
前記記録フォーマット選択手段により選択された記録フォーマットに従って前記記録媒体の初期化処理を行う初期化手段と、
前記初期化手段によって初期化された記録媒体の記録フォーマットに対応する映像信号方式が、前記映像信号生成手段によって生成される映像信号の映像信号方式と一致するか否かを判定する映像信号方式判定手段と、
前記映像信号方式判定手段によって映像信号方式が一致していないと判定された場合に、前記記録媒体の記録フォーマットに対応する映像信号方式に設定を切り替えるように促す表示を表示部に行う切り替え督促手段と、
前記切り替え督促手段により促されて切り替えられた第１の映像信号または第２の映像信号を前記初期化手段によって初期化処理された記録媒体に記録する記録手段とを備えることを特徴とする撮像装置。
【請求項３】
前記切り替え督促手段は、前記記録フォーマット選択手段によって選択された記録フォーマットに対応する映像信号方式の数に応じて、表示画面を変えて前記表示部に表示することを特徴とする請求項２に記載の撮像装置。
【請求項４】
前記記録媒体は光学ディスクであり、前記記録フォーマットはファイルフォーマットと映像信号の記録方式との組み合わせからなる記録フォーマットであることを特徴とする請求項１〜３の何れか１項に記載の撮像装置。
【請求項５】
前記第１の映像信号及び第２の映像信号はそれぞれ、解像度が互いに異なることを特徴とする請求項２に記載の撮像装置。
【請求項６】
前記第１の映像信号及び第２の映像信号はそれぞれ、圧縮方式が互いに異なることを特徴とする請求項２に記載の撮像装置。
【請求項７】
前記第１の映像信号及び第２の映像信号はそれぞれ、圧縮率が互いに異なることを特徴とする請求項２に記載の撮像装置。
【請求項８】
撮像手段により生成される映像信号が従う第１の映像信号方式または第２の映像信号方式を使用者の操作に応じて設定する映像信号方式設定工程と、
前記第１の映像信号方式に対応する記録フォーマット、または前記第２の映像信号方式に対応する記録フォーマットに従って記録媒体の初期化処理を行う初期化工程と、
前記初期化工程において初期化された記録媒体の記録フォーマットに対応する映像信号方式が、前記映像信号方式設定工程において設定された映像信号方式と一致するか否かを判定する映像信号方式判定工程と、
前記映像信号方式判定工程において前記映像信号方式が一致していないと判定された場合に、前記記録媒体の記録フォーマットに対応する映像信号方式に設定を切り替えるように促す表示を表示部に行う切り替え督促工程とを備えることを特徴とする撮像装置の制御方法。
【請求項９】
撮像手段から得られた撮像信号を用いて、第１の映像信号方式に従う第１の映像信号、または前記第１の映像信号方式とは異なる第２の映像信号方式に従う第２の映像信号を生成する映像信号生成工程と、
前記第１の映像信号を記録媒体に記録するための記録フォーマット、または前記第２の映像信号を前記記録媒体に記録するための記録フォーマットの何れか一方を使用者の操作に応じて選択する記録フォーマット選択工程と、
前記記録フォーマット選択工程において選択された記録フォーマットに従って前記記録媒体の初期化処理を行う初期化工程と、
前記初期化工程において初期化された記録媒体の記録フォーマットに対応する映像信号方式が、前記映像信号生成工程において生成される映像信号の映像信号方式と一致するか否かを判定する映像信号方式判定工程と、
前記映像信号方式判定工程において映像信号方式が一致していないと判定された場合に、前記記録媒体の記録フォーマットに対応する映像信号方式に設定を切り替えるように促す表示を表示部に行う切り替え督促工程と、
前記切り替え督促工程において促されて切り替えられた第１の映像信号または第２の映像信号を前記初期化工程において初期化処理された記録媒体に記録する記録工程とを備えることを特徴とする撮像装置の制御方法。
【請求項１０】
前記切り替え督促工程においては、前記記録フォーマット選択工程において選択された記録フォーマットに対応する映像信号方式の数に応じて、表示画面を変えて前記表示部に表示することを特徴とする請求項９に記載の撮像装置の制御方法。
【請求項１１】
前記記録媒体は光学ディスクであり、前記記録フォーマットはファイルフォーマットと映像信号の記録方式との組み合わせからなる記録フォーマットであることを特徴とする請求項８〜１０の何れか１項に記載の撮像装置の制御方法。
【請求項１２】
前記第１の映像信号及び第２の映像信号はそれぞれ、解像度が互いに異なることを特徴とする請求項９に記載の撮像装置の制御方法。
【請求項１３】
前記第１の映像信号及び第２の映像信号はそれぞれ、圧縮方式が互いに異なることを特徴とする請求項９に記載の撮像装置の制御方法。
【請求項１４】
前記第１の映像信号及び第２の映像信号はそれぞれ、圧縮率が互いに異なることを特徴とする請求項９に記載の撮像装置の制御方法。
【手続補正２】
【補正対象書類名】明細書
【補正対象項目名】０００１
【補正方法】変更
【補正の内容】
【０００１】
本発明は撮像装置、及び撮像装置の制御方法に関し、特に、光学ディスクをはじめとするフォーマットを必要とする記録媒体に映像、音声を記録するために用いて好適な技術に関する。
【手続補正３】
【補正対象書類名】明細書
【補正対象項目名】００１２
【補正方法】変更
【補正の内容】
【００１２】
本発明の撮像装置は、撮像手段により生成される映像信号が従う第１の映像信号方式または第２の映像信号方式を使用者の操作に応じて設定する映像信号方式設定手段と、前記第１の映像信号方式に対応する記録フォーマット、または前記第２の映像信号方式に対応する記録フォーマットに従って記録媒体の初期化処理を行う初期化手段と、前記初期化手段によって初期化された記録媒体の記録フォーマットに対応する映像信号方式が、前記映像信号方式設定手段によって設定された映像信号方式と一致するか否かを判定する映像信号方式判定手段と、前記映像信号方式判定手段によって前記映像信号方式が一致していないと判定された場合に、前記記録媒体の記録フォーマットに対応する映像信号方式に設定を切り替えるように促す表示を表示部に行う切り替え督促手段とを備えることを特徴とする。
また、本発明の撮像装置の他の特徴とするところは、撮像手段から得られた撮像信号を用いて、第１の映像信号方式に従う第１の映像信号、または前記第１の映像信号方式とは異なる第２の映像信号方式に従う第２の映像信号を生成する映像信号生成手段と、前記第１の映像信号を記録媒体に記録するための記録フォーマット、または前記第２の映像信号を前記記録媒体に記録するための記録フォーマットの何れか一方を使用者の操作に応じて選択する記録フォーマット選択手段と、前記記録フォーマット選択手段により選択された記録フォーマットに従って前記記録媒体の初期化処理を行う初期化手段と、前記初期化手段によって初期化された記録媒体の記録フォーマットに対応する映像信号方式が、前記映像信号生成手段によって生成される映像信号の映像信号方式と一致するか否かを判定する映像信号方式判定手段と、前記映像信号方式判定手段によって映像信号方式が一致していないと判定された場合に、前記記録媒体の記録フォーマットに対応する映像信号方式に設定を切り替えるように促す表示を表示部に行う切り替え督促手段と、前記切り替え督促手段により促されて切り替えられた第１の映像信号または第２の映像信号を前記初期化手段によって初期化処理された記録媒体に記録する記録手段とを備えることを特徴とする。
【手続補正４】
【補正対象書類名】明細書
【補正対象項目名】００１３
【補正方法】変更
【補正の内容】
【００１３】
本発明の撮像装置の制御方法は、撮像手段により生成される映像信号が従う第１の映像信号方式または第２の映像信号方式を使用者の操作に応じて設定する映像信号方式設定工程と、前記第１の映像信号方式に対応する記録フォーマット、または前記第２の映像信号方式に対応する記録フォーマットに従って記録媒体の初期化処理を行う初期化工程と、前記初期化工程において初期化された記録媒体の記録フォーマットに対応する映像信号方式が、前記映像信号方式設定工程において設定された映像信号方式と一致するか否かを判定する映像信号方式判定工程と、前記映像信号方式判定工程において前記映像信号方式が一致していないと判定された場合に、前記記録媒体の記録フォーマットに対応する映像信号方式に設定を切り替えるように促す表示を表示部に行う切り替え督促工程とを備えることを特徴とする。
また、本発明の撮像装置の制御方法の他の特徴とするところは、撮像手段から得られた撮像信号を用いて、第１の映像信号方式に従う第１の映像信号、または前記第１の映像信号方式とは異なる第２の映像信号方式に従う第２の映像信号を生成する映像信号生成工程と、前記第１の映像信号を記録媒体に記録するための記録フォーマット、または前記第２の映像信号を前記記録媒体に記録するための記録フォーマットの何れか一方を使用者の操作に応じて選択する記録フォーマット選択工程と、前記記録フォーマット選択工程において選択された記録フォーマットに従って前記記録媒体の初期化処理を行う初期化工程と、前記初期化工程において初期化された記録媒体の記録フォーマットに対応する映像信号方式が、前記映像信号生成工程において生成される映像信号の映像信号方式と一致するか否かを判定する映像信号方式判定工程と、前記映像信号方式判定工程において映像信号方式が一致していないと判定された場合に、前記記録媒体の記録フォーマットに対応する映像信号方式に設定を切り替えるように促す表示を表示部に行う切り替え督促工程と、前記切り替え督促工程において促されて切り替えられた第１の映像信号または第２の映像信号を前記初期化工程において初期化処理された記録媒体に記録する記録工程とを備えることを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】